(57)【要約】【課題】葺板の引き剥がし作業を容易化する屋根の葺板引き剥がし具を提供すること。【解決手段】横葺屋根用の横葺板１の、棟側に配設される連結用折曲部１Ａに挟持係止する挟持部２を設け、この挟持部２を挟持開閉操作する操作ハンドル部３を設け、この挟持部２の近傍に支点部４を設けて、この支点部４を支点に操作ハンドル部３を可倒し得るように構成すると共に、挟持部２で前記横葺板１の連結用折曲部１Ａを挟持係止したまま操作ハンドル部３を倒すと、この支点部４を支点としたテコ作用により挟持部２が起動し、この連結用折曲部１Ａから横葺板１が屋根下地材５に対して引き剥がされるように構成する。【選択図】        図１
2004162380.tif 000002
【特許請求の範囲】
【請求項１】
横葺屋根用の横葺板の、棟側に配設される連結用折曲部に挟持係止する挟持部を設け、この挟持部を挟持開閉操作する操作ハンドル部を設け、この挟持部の近傍に支点部を設けて、この支点部を支点に操作ハンドル部を可倒し得るように構成すると共に、挟持部で前記横葺板の連結用折曲部を挟持係止したまま操作ハンドル部を倒すと、この支点部を支点としたテコ作用により挟持部が起動し、この連結用折曲部から横葺板が屋根下地材に対して引き剥がされるように構成したことを特徴とする屋根の葺板引き剥がし具。
【請求項２】
前記挟持部に、前記横葺板の連結用折曲部に食い込み係止する係止爪を形成したことを特徴とする請求項１記載の屋根の葺板引き剥がし具。
【請求項３】
前記挟持部の反対側に向けて前記操作ハンドル部を突設し、この挟持部の外側近傍に前記支点部を並設状態に設けて、この支点部を支点にして前記操作ハンドル部を倒すことにより挟持部が上方へ起動するように構成したことを特徴とする請求項１，２のいずれか１項に記載の屋根の葺板引き剥がし具。
【請求項４】
前記操作ハンドル部は、一対のハンドル体から成り、この一対のハンドル体を接離操作することに連動して前記挟持部が開閉作動する構成としたことを特徴とする請求項１〜３のいずれか１項に記載の屋根の葺板引き剥がし具。
【請求項５】
前記挟持部に縦葺屋根の瓦棒の瓦棒キャップに嵌合する嵌合部を設け、この嵌合部の両側にこの嵌合部に対して挟持開閉作動する前記係止爪を設け、この嵌合部を瓦棒キャップに嵌合して前記操作ハンドル部を操作することにより前記瓦棒の両側部に前記係止爪が挟持係止するように構成し、この挟持部で瓦棒を挟持係止したまま操作ハンドル部を倒すと、前記支点部を支点としたテコ作用により挟持部が起動し、瓦棒と共に縦葺板が屋根下地材に対して引き剥がされるように構成したことを特徴とする請求項２〜４のいずれか１項に記載の屋根の葺板引き剥がし具。
【請求項６】
前記嵌合部の一側面と一方の前記係止爪とで前記瓦棒の一側を挟持係止し、前記嵌合部の他側面と他方の前記係止爪とで前記瓦棒の他側を挟持係止するように前記挟持部を構成したことを特徴とする請求項５記載の屋根の葺板引き剥がし具。
【発明の詳細な説明】
【０００１】
【発明の属する技術分野】
本発明は、屋根の葺板引き剥がし具に関するものである。
【０００２】
【従来の技術及び発明が解決しようとする課題】
横葺屋根や縦葺屋根の葺板（屋根板）は、長期使用により老朽化すると、雨漏りなどの不具合が生じる恐れがあるため、適当な時期に改修（葺替え）を行うことが望ましい。
【０００３】
この屋根板の葺替えにあたっては、葺板を野地板から全部引き剥がして取り去るが、この葺板引き剥がし作業は手作業によるものであるために多大な労力と費用を要し、また時間もかかる非常に厄介な作業であった。
【０００４】
本発明は、このような現状に鑑み、これを解決するためのもので、葺板の引き剥がし作業を容易化できる実用性に秀れた屋根の葺板引き剥がし具を提供するものである。
【０００５】
【課題を解決するための手段】
添付図面を参照して本発明の要旨を説明する。
【０００６】
横葺屋根用の横葺板１の、棟側に配設される連結用折曲部１Ａに挟持係止する挟持部２を設け、この挟持部２を挟持開閉操作する操作ハンドル部３を設け、この挟持部２の近傍に支点部４を設けて、この支点部４を支点に操作ハンドル部３を可倒し得るように構成すると共に、挟持部２で前記横葺板１の連結用折曲部１Ａを挟持係止したまま操作ハンドル部３を倒すと、この支点部４を支点としたテコ作用により挟持部２が起動し、この連結用折曲部１Ａから横葺板１が屋根下地材５に対して引き剥がされるように構成したことを特徴とする屋根の葺板引き剥がし具に係るものである。
【０００７】
また、前記挟持部２に、前記横葺板１の連結用折曲部１Ａに食い込み係止する係止爪２Ａを形成したことを特徴とする請求項１記載の屋根の葺板引き剥がし具に係るものである。
【０００８】
また、前記挟持部２の反対側に向けて前記操作ハンドル部３を突設し、この挟持部２の外側近傍に前記支点部４を並設状態に設けて、この支点部４を支点にして前記操作ハンドル部３を倒すことにより挟持部２が上方へ起動するように構成したことを特徴とする請求項１，２のいずれか１項に記載の屋根の葺板引き剥がし具に係るものである。
【０００９】
また、前記操作ハンドル部３は、一対のハンドル体３Ａから成り、この一対のハンドル体３Ａを接離操作することに連動して前記挟持部２が開閉作動する構成としたことを特徴とする請求項１〜３のいずれか１項に記載の屋根の葺板引き剥がし具に係るものである。
【００１０】
また、前記挟持部２に縦葺屋根の瓦棒６の瓦棒キャップ６Ａに嵌合する嵌合部７を設け、この嵌合部７の両側にこの嵌合部７に対して挟持開閉作動する前記係止爪２Ａを設け、この嵌合部７を瓦棒キャップ６Ａに嵌合して前記操作ハンドル部３を操作することにより前記瓦棒６の両側部に前記係止爪２Ａが挟持係止するように構成し、この挟持部２で瓦棒６を挟持係止したまま操作ハンドル部３を倒すと、前記支点部４を支点としたテコ作用により挟持部２が起動し、瓦棒６と共に縦葺板８が屋根下地材５に対して引き剥がされるように構成したことを特徴とする請求項２〜４のいずれか１項に記載の屋根の葺板引き剥がし具に係るものである。
【００１１】
また、前記嵌合部７の一側面と一方の前記係止爪２Ａとで前記瓦棒６の一側を挟持係止し、前記嵌合部７の他側面と他方の前記係止爪２Ａとで前記瓦棒６の他側を挟持係止するように前記挟持部２を構成したことを特徴とする請求項５記載の屋根の葺板引き剥がし具に係るものである。
【００１２】
【発明の実施の形態】
好適と考える本発明の実施の形態（発明をどのように実施するか）を、図面に基づいてその作用効果を示して簡単に説明する。
【００１３】
先ず、横葺屋根の横葺板１の連結用折曲部１Ａに挟持部２を配設し、操作ハンドル部３を操作してこの挟持部２で連結用折曲部１Ａを挟持係止する。
【００１４】
続いて、支点部４を支点にして操作ハンドル部３を倒すと、この支点部４を支点としたテコ作用により挟持部２が起動し、この連結用折曲部１Ａから横葺板１が屋根下地材５に対して引き剥がされる。
【００１５】
また、この際、挟持部２が横葺板１の連結用折曲部１Ａに確固に挟持係止しているため、操作ハンドル部３を倒した際に挟持部２から連結用折曲部１Ａが抜け外れてしまうようなことがなく、これにより本引き剥がし具が連結用折曲部１Ａから外れることで作業者が屋根上でバランスを崩したり、本引き剥がし具と共に屋根上から落下したりするようなことがなく、安全に作業を行うことができる。
【００１６】
従って、単に操作ハンドル部３を操作して挟持部２で横葺板１の連結用折曲部１Ａを挟持係止し、そのまま操作ハンドル部３を倒すだけの作業で横葺板１を引き剥がすことができるため、この横葺板１の除去作業が容易にしかも安全に行われることになる極めて実用性に秀れた画期的な屋根の葺板引き剥がし具となる。
【００１７】
また、例えば、前記挟持部２に縦葺屋根の瓦棒６の瓦棒キャップ６Ａに嵌合する嵌合部７を設け、この嵌合部７の両側にこの嵌合部７に対して挟持開閉作動する係止爪２Ａを設け、この嵌合部７を瓦棒キャップ６Ａに嵌合して前記操作ハンドル部３を操作することにより前記瓦棒６の両側部に前記係止爪２Ａが挟持係止するように構成すれば、この挟持部２（係止爪２Ａ）で瓦棒６を挟持係止し、そのまま操作ハンドル部３を倒すと、前記支点部４を支点としたテコ作用により挟持部２が起動し、瓦棒６と共に縦葺板８が屋根下地材５に対して引き剥がされることになる。
【００１８】
従って、この構成によれば、縦葺屋根の縦葺板８の引き剥がし除去作業も容易に行うことができることになり、しかも、この作業を行うにあたって係止爪２Ａが瓦棒６に確固に食い込み係止するために挟持部２から連結用折曲部１Ａが抜け外れてしまうようなことがなく、上記した横葺板１の除去作業と同様に安全に作業を行うことができ、一層実用的となる。
【００１９】
【実施例】
本発明の具体的な実施例について図面に基づいて説明する。
【００２０】
本実施例は、横葺板１も縦葺板８も引き剥がし除去することができる屋根の葺板引き剥がし具に係るもので、横葺屋根用の横葺板１の、棟側に配設される連結用折曲部１Ａ及び、縦葺屋根の瓦棒６に挟持係止する挟持部２を設け、この挟持部２を挟持開閉操作する操作ハンドル部３を挟持部２の反対側に突設している。
【００２１】
具体的に説明すると、図１に示すように、逆Ｔ字形の板状基体９を所定間隔を置いて対設し、この対設する基体９間の下側に挟持部２を設け、上側に操作ハンドル部３を設けている。
【００２２】
更に説明すると、基体９の左右下部には垂下部９Ａを設け、この左右の垂下部９Ａの夫々の対向間隙部間に所定の長さを有する係止爪２Ａを先端に備えた挟持半体１０の先端寄りを配設して回動自在に枢着している。
【００２３】
また、この挟持半体１０は、略コ字形に形成して遊離杆部間に架け渡される中間杆部側を先端部とし、この先端部に遊離杆部に対して斜設状態となるように前記係止爪２Ａを突設している。
【００２４】
また、この係止爪２Ａは、挟持半体１０の先端を鋭角形に形成して構成し、この鋭利な係止爪２Ａが横葺板１の連結用折曲部１Ａや縦葺屋根の瓦棒６に食い込み係止し得るように構成している。
【００２５】
操作ハンドル部３は、コ字形であって左右の遊離杆部を長く形成した二体のハンドル体３Ａで成り、この二体のハンドル体３Ａの遊離杆部の先端側（図面における下端側）途中部を交差軸着して、ハンドル体３Ａの基端側の握持杆部３Ｂが互いに接離回動自在となるように構成している。
【００２６】
また、この交差軸着部１１（軸）を前記基体９の上方部に設けた縦長のガイド長窓１２に上下スライド自在に装着している。
【００２７】
そして、この操作ハンドル部３を構成する二体のハンドル体３Ａの各遊離両先端部に、コ字形挟持半体１０基端側の遊離両端を回動自在に枢着することで、握持杆部３Ｂの反対側に係止爪２Ａが突設するように構成している。
【００２８】
また、本実施例では、図２に示す状態から、図３に示すように二体のハンドル体３Ａを互いに離反する方向に動かすと、交差軸着部１１がガイド長窓１２に沿って下降スライドすると共に、挟持半体１０の基端部が外側に開くように作動して前記係止爪２Ａが起動回動し、逆に、二体のハンドル体３Ａを互いに接近する方向に動かすと、交差軸着部１１がガイド長窓１２に沿って上昇スライドすると共に、挟持半体１０の基端部がハンドル体３Ａに連動し、これにより基体９の垂下部９Ａとの枢着部を支点にして夫々の係止爪２Ａが起動して、内側に閉じるように作動するリンク機構を構成している。
【００２９】
即ち、一対の握持杆部３Ｂを接離操作することに連動して係止爪２Ａが開閉回動作動する構成としている。
【００３０】
また、本実施例では、二体のハンドル体３Ａを操作する際に、この二体のハンドル体３Ａが前記基体９に対して均等に回動し、図２，図３に示すように左右対称に回動作動するように作動制御するハンドル作動機構部１３を設けている。
【００３１】
このハンドル作動機構部１３について説明すると、図１〜図３に示すように、図面手前側の基体９の上部を上方へ延設形成すると共に、この上部延設部９Ｂに上下方向に長さのある長窓部１４を形成している。
【００３２】
一方、二体のハンドル体３Ａには、図面手前側の遊離杆部の中程に夫々帯状の等長のガイド体１５の一端部を回動自在に枢着し、この夫々のガイド体１５の他端部同士を回動自在に枢着すると共に、この枢着部１６（軸）を前記長窓部１４に上下スライド自在に装着している。
【００３３】
従って、図２，図３に示すように、一対の握持杆部３Ｂ（二体のハンドル体３Ａ）を接離操作することに連動して枢着部１６が長窓部１４に沿って上下方向にだけスライド移動することになり、この枢着部１６で連結された等長のガイド体１５の夫々によって二体のハンドル体３Ａが吊られた状態で枢着連結されているため、この二体のハンドル体３Ａはガイド体１５によって左右対称に回動作動する構成としている。
【００３４】
よって、これにより二体のハンドル体３Ａが別々に勝手に回動してしまうようなことがないため、操作ハンドル部３を操作し易く、秀れた操作性を発揮する構成としている。
【００３５】
また、本実施例では、対設する前記基体９の下部中央部間に、縦葺屋根の瓦棒６の瓦棒キャップ６Ａに嵌合し得る断面略丸形の嵌合部７を架設し、この嵌合部７の両側に配設する鋭利な前記係止爪２Ａの先端縁の全縁部が、前記ハンドル体３Ａを互いに離反するように開いた際に嵌合部７の周面に当接する構成として、この嵌合部７の周面と係止爪２Ａとで横葺板１の連結用折曲部１Ａと、縦葺屋根の瓦棒６を挟持係止する前記挟持部２を構成している。
【００３６】
また、この断面略丸形の嵌合部７は、図７に示すように瓦棒キャップ６Ａに対してガタつかずに合致し得るように径寸法を設定構成し、これにより縦葺屋根の縦葺板８を引き剥がす際に、瓦棒６に対して本引き剥がし具が不安定にガタついたりすることなく、安定的に後述の引き剥がし作業を行えるようにしている。
【００３７】
また、この挟持部２を更に説明すると、横葺板１の連結用折曲部１Ａと、縦葺屋根の瓦棒６を挟持係止し得るもので、横葺屋根の横葺板１を引き剥がす場合には、嵌合部７とどちらか片側の係止爪２Ａだけを使用して、嵌合部７の周面と係止爪２Ａの全縁部との間で横葺板１の連結用折曲部１Ａを挟持係止する構成とし、縦葺屋根の縦葺板８を引き剥がす場合には、嵌合部７の一側周面と一方の前記係止爪２Ａとで前記瓦棒６の一側を挟持係止し、前記嵌合部７の他側周面と他方の前記係止爪２Ａとで前記瓦棒６の他側を挟持係止する構成としている。
【００３８】
また、この際、本実施例では、所定の長さを有する係止爪２Ａの全縁部が嵌合部７の周面に対して当接し得る構成のため、この係止爪２Ａの全縁部と嵌合部７の周面とで横葺板１の連結用折曲部１Ａも縦葺屋根の瓦棒６も極めて強固に挟持係止できることとなる。
【００３９】
また、本実施例では、挟持部２の近傍に支点部４を設けて、この支点部４を支点に操作ハンドル部３を可倒すると、この支点部４を支点としたテコ作用により挟持部２が起動するように構成している。
【００４０】
具体的に説明すると、前記基体９の左右下部の垂下部９Ａの下端部が支点部４となるように構成している。
【００４１】
また、この支点部４は、操作ハンドル部３を倒し易いようにこの垂下部９Ａ（支点部４）の下端縁を湾曲縁に形成すると共に、この湾曲下縁に沿って基体９の外側へ湾曲板部を突設し、この湾曲板部の下面を保護部４Ａとしてこの保護部４Ａが横葺板１若しくは縦葺板８に面接することにより、支点部４が点接触する場合に比べて屋根下地材５に荷重が加わりにくくし、屋根下地材５が傷付きにくい構成としている。
【００４２】
次に、本実施例の使用方法を説明する。
【００４３】
先ず、横葺屋根の横葺板１を除去する場合について説明する。
【００４４】
図４に示すように、横葺板１の連結用折曲部１Ａに挟持部２を配設して、いずれか片側の係止爪２Ａが連結用折曲部１Ａの下方に位置するようにする。
【００４５】
続いて、操作ハンドル部３をその対設する握持杆部３Ｂが互いに離反するように回動操作すると、係止爪２Ａが起動して下方から連結用折曲部１Ａを上方へ引き起こすように折曲させていき、図５に示すようにこの連結用折曲部１Ａが係止爪２Ａと嵌合部７の周面との間に挟持係止されることになる。
【００４６】
続いて、図６に示すように、連結用折曲部１Ａを挟持係止した係止爪２Ａの外側に並設する支点部４を支点にして操作ハンドル部３を倒すと、この支点部４を支点としたテコ作用により挟持部２が起動し、この連結用折曲部１Ａから横葺板１が屋根下地材５（野地板）に対して引き剥がされることになる。
【００４７】
また、この際、係止爪２Ａの全縁部が横葺板１の連結用折曲部１Ａに食い込んで嵌合部７の周面との間に確固に挟持係止しているため、操作ハンドル部３を倒した際に挟持部２から連結用折曲部１Ａが抜け外れてしまうようなことがなく、これにより本引き剥がし具が連結用折曲部１Ａから外れることで作業者が屋根上でバランスを崩したり、本引き剥がし具と共に屋根上から落下したりするようなことがなく、安全に作業を行うことができる。
【００４８】
従って、単に操作ハンドル部３を操作して挟持部２で横葺板１の連結用折曲部１Ａを挟持係止し、そのまま操作ハンドル部３を倒すだけの作業で横葺板１を引き剥がすことができるため、この横葺板１の除去作業が容易にしかも安全に行われることになる極めて実用性に秀れた画期的な屋根の葺板引き剥がし具となる。
【００４９】
次に、縦葺屋根の縦葺板８を除去する場合について説明する。
【００５０】
瓦棒６の上方から瓦棒キャップ６Ａに嵌合部７を嵌合し、操作ハンドル部３をその対設する握持杆部３Ｂが互いに離反するように回動操作すると、図７に示すように、嵌合部７の図面左側面と図面左側の係止爪２Ａとで瓦棒６の上部左側を挟持係止し、嵌合部７の図面右側面と図面右側の係止爪２Ａとで瓦棒６の上部右側を挟持係止することになる。
【００５１】
続いて、図７中の矢印のように操作ハンドル部３を倒すと、前記支点部４を支点としたテコ作用により挟持部２が起動し、瓦棒６と共に縦葺板８が屋根下地材５に対して引き剥がされることになる。
【００５２】
従って、縦葺屋根の縦葺板８の引き剥がし除去作業も容易に行うことができ、しかもこの作業を行うにあたっても、係止爪２Ａが瓦棒６に確固に食い込み係止するために挟持部２から連結用折曲部１Ａが抜け外れてしまうことがなく、上記した横葺屋根での横葺板１引き剥がし作業と同様に安全に作業を行うことができる。
【００５３】
図中符号１７は横葺板１及び縦葺板８を屋根下地材５に固定するための固定具（釘）である。
【００５４】
尚、本発明は、本実施例に限られるものではなく、各構成要件の具体的構成は適宜設計し得るものである。
【００５５】
【発明の効果】
本発明は上述のように構成したから、単に操作ハンドル部を操作することで挟持部が横葺板の連結用折曲部に確固に挟持係止することになり、そのまま操作ハンドル部を倒すだけの作業で横葺板を簡単に引き剥がすことができるため、横葺板の除去作業が容易に行われることになり、しかも挟持部は横葺板の連結用折曲部に確固に挟持係止するため、操作ハンドル部を倒した際に挟持部から連結用折曲部が抜け外れてしまうようなことがなく、これにより本引き剥がし具が連結用折曲部から外れることで作業者が屋根上でバランスを崩したり、本引き剥がし具と共に屋根上から落下したりするようなことのない安全な作業が行われることになるなど、極めて実用性に秀れた画期的な屋根の葺板引き剥がし具となる。
【００５６】
また、請求項２記載の発明においては、係止爪が横葺板の連結用折曲部に確固に食い込み係止することになり、確実且つ安全に横葺板を引き剥がすことが可能となる極めて実用性に秀れた構成の屋根の葺板引き剥がし具となる。
【００５７】
また、請求項３記載の発明においては、前記作用効果を確実に発揮する構成を簡易に設計実現可能となる一層実用性に秀れた屋根の葺板引き剥がし具となる。
【００５８】
また、請求項４記載の発明においては、操作性に秀れた前記操作ハンドル部を簡易に設計実現可能となる一層実用性に秀れた構成の屋根の葺板引き剥がし具となる。
【００５９】
また、請求項５記載の発明においては、挟持部で瓦棒を確固に挟持係止することができ、そのまま支点部を支点にして操作ハンドル部を倒すことだけで、縦葺板を屋根下地材に対して引き剥がしできるため、縦葺屋根の縦葺板の引き剥がし除去作業も容易に行うことができ、しかもこの作業を行うにあたっても、挟持部から連結用折曲部が簡単に抜け外れてしまうようなことがないため、上記横葺屋根の葺板除去作業と同様に安全に作業を行うことができるなど、一層実用性に秀れた構成の屋根の葺板引き剥がし具となる。
【００６０】
また、請求項６記載の発明においては、瓦棒に対して確固に挟持係止できる一層実用性に秀れた構成の屋根の葺板引き剥がし具となる。
【図面の簡単な説明】
【図１】本実施例を示す斜視図である。
【図２】本実施例を示す側面図である。
【図３】本実施例の操作ハンドル部を開いて挟持部を挟持閉塞した状態を示す一部を省略した側面図である。
【図４】本実施例の横葺板の連結用折曲部に挟持部を配設した状態を示す説明図である。
【図５】図４の状態から操作ハンドル部を開いて挟持部で横葺板の連結用折曲部を挟持係止した状態を示す説明図である。
【図６】図５の状態から支点部を支点にして操作ハンドル部を倒し、横葺板を屋根下地材から引き剥がした状態を示す説明図である。
【図７】本実施例の挟持部で縦葺屋根の瓦棒を挟持係止した状態を示す説明図である。
【符号の説明】
１  横葺板
１Ａ  連結用折曲部
２  挟持部
２Ａ  係止爪
３  操作ハンドル部
３Ａ  ハンドル体
４  支点部
５  屋根下地材
６  瓦棒
６Ａ  瓦棒キャップ
７  嵌合部
８  縦葺板
【図１】
2004162380.tif 000003
【図２】
2004162380.tif 000004
【図３】
2004162380.tif 000005
【図４】
2004162380.tif 000006
【図５】
2004162380.tif 000007
【図６】
2004162380.tif 000008
【図７】
2004162380.tif 000009